(57)【要約】【課題】少ないキーで操作可能な場合に誤操作を行うことを抑制すること。【解決手段】電子機器を遠隔操作するリモートコントロール装置であって、上面と、裏面とを有する基体と、正面と、背面とを有し、前記正面側が前記基体の上面を覆う閉塞位置と、前記基体の上面が露出する開放位置との間を回動自在に接続された表示ユニットと、前記電子機器の第１の機能を操作するために前記基体の上面に設けられた第１の入力キー群と、前記電子機器の第２の機能を操作するために前記基体の裏面および前記表示ユニットの背面の一方に設けられた第２の入力キー群と、前記表示ユニットに設けられた表示部とを具備する。【選択図】    図５
2007194840.tif 000002
【特許請求の範囲】
【請求項１】
電子機器を遠隔操作するリモートコントロール装置であって、
上面と、裏面とを有する基体と、
正面と、背面とを有し、前記正面側が前記基体の上面を覆う閉塞位置と、前記基体の上面が露出する開放位置との間を回動自在に接続された表示ユニットと、
前記電子機器の第１の機能を操作するために前記基体の上面に設けられた第１の入力キー群と、
前記電子機器の第２の機能を操作するために前記基体の裏面および前記表示ユニットの背面の一方に設けられた第２の入力キー群と、
前記表示ユニットに設けられた表示部と、
を具備することを特徴とするリモートコントロール装置。
【請求項２】
前記表示部は、前記第１の機能を操作するための仮想的な第３の入力キー群を表示し、前記表示部の表面に前記第３の入力キーの操作を検出するためのタッチセンサが設けられていることを特徴とする請求項１記載のリモートコントロール装置。
【請求項３】
前記リモートコントロール装置によって遠隔操作される前記電子機器は、
前記第１の機能は、ネットワークから第１の放送データを受信する手段を有し、
前記第２の機能は、アンテナに接続され、第２の放送データを受信するチューナを有し、
前記第１の放送データ、または第２の放送データの一方を再生する手段と
を具備することを特徴とする請求項１記載のリモートコントロール装置。
【請求項４】
前記第１の入力キー群によって入力されたデータを無線通信を用いて前記電子機器に通知することによって、前記第１の機能を遠隔操作する手段を具備することを特徴とする請求項１記載のリモートコントロール装置。
【請求項５】
前記第２の入力キー群によって入力されたデータを光信号を用いて前記電子機器に通知することによって前記電子機器を遠隔操作する手段を具備することを特徴とする請求項１記載のリモートコントロール装置。
【請求項６】
サーバから配信された第１の放送データを受信する手段と、前記サーバから配信された第１の放送データを選択するための選択画面表示データを加工する手段と、アンテナに接続され、第２の放送データを受信するチューナと、前記第１の放送データまたは第２の放送データの一方を再生する手段とを有する受像装置と、
前記受像装置を遠隔操作するリモートコントロール装置であって、上面と、裏面とを有する基体と、正面と、背面とを有し、前記正面側が前記基体の上面を覆う閉塞位置と、前記基体の上面が露出する開放位置との間を回動自在に接続された表示ユニットと、前記基体の上面に設けられた前記受信手段を遠隔操作するための第１の入力キー群と、前記基体の裏面および前記表示ユニットの背面の一方に設けられた前記チューナを遠隔操作するための第２の入力キー群と、前記表示ユニットに設けられ、前記加工手段によって加工された選択画面表示データを表示する表示部とを有するリモートコントロール装置とを具備することを特徴とする受像システム。
【請求項７】
前記表示部は、前記第１の機能を操作するための仮想的な第３の入力キー群を表示し、前記表示部の表面に前記第３の入力キーの操作を検出するためのタッチセンサが設けられていることを特徴とする請求項６記載の受像システム。
【請求項８】
前記第１の入力キー群によって入力されたデータを無線通信を用いて前記電子機器に通知することによって、前記電子機器を遠隔操作する手段を具備することを特徴とする請求項６記載の受像システム。
【請求項９】
前記第２の入力キー群によって入力されたデータを光信号を用いて前記電子機器に通知することによって前記電子機器を遠隔操作する手段を具備することを特徴とする請求項６記載の受像システム。
【発明の詳細な説明】
【技術分野】
【０００１】
本発明は、複数の機能を遠隔操作可能なリモートコントロール装置、および受像システムに関する。
【背景技術】
【０００２】
通常テレビジョンを操作するためには、リモートコントロール装置を用いる。通常、一つの電子機器に対して、一つのリモートコントロールが割り当てられている。近年、リモートコントロール装置で操作する電子機器が増えるにつれ、リモートコントロール装置も増えている。複数の電子機器を遠隔操作可能なリモートコントロール装置が開示されている（特許文献１）。
【特許文献１】特開２００５−１７５８００号公報
【発明の開示】
【発明が解決しようとする課題】
【０００３】
ところで、一つの電子機器を遠隔操作するには、少ないキーで操作可能な場合と、多くのキーを用いて操作しなければならない場合がある。現状のリモートコントロール装置は、多くのキーを用いて操作しなければならない場合にあわせて設計されているため、少ないキーで操作可能な場合に誤操作を行ってしまう場合がある。
【０００４】
本発明の目的は、少ないキーで操作可能な場合に誤操作を行うことを抑制することが可能なリモートコントロール装置、および受像システムを提供することにある。
【課題を解決するための手段】
【０００５】
本発明の一例に係わる、電子機器を遠隔操作するリモートコントロール装置は、上面と、裏面とを有する基体と、正面と、背面とを有し、前記正面側が前記基体の上面を覆う閉塞位置と、前記基体の上面が露出する開放位置との間を回動自在に接続された表示ユニットと、前記基体の上面に設けられた第１の入力キー群と、前記基体の裏面および前記表示ユニットの背面の一方に設けられた第２の入力キー群と、前記表示ユニットに設けられ、仮想的な第３の入力キー群を表示し、前記第３の入力キーの操作を検出するためのタッチセンサが設けられた表示部とを具備することを特徴とする。
【発明の効果】
【０００６】
少ないキーで操作可能な場合に誤操作を行うことを抑制することが可能になる。
【発明を実施するための最良の形態】
【０００７】
本発明の実施の形態を以下に図面を参照して説明する。
【０００８】
図１は、受像装置（電子機器）としてのＳＴＢ（set-top box）機能／ＴＶチューナ内蔵テレビジョンの外観を示す図である。
【０００９】
図１に示すように、ＳＴＢ機能内蔵テレビジョン１００は、ＴＶ波を受信するためのＴＶアンテナおよびネットワーク配信サーバ３００から送信された放送データが流れるネットワーク５００に接続されている。
【００１０】
テレビジョン１００は、リモコンによって操作可能である。
【００１１】
リモコンの外観を図２、図３、および図４に示す。図２は、リモコンの正面図。図３は、リモコンの側面図。図４は、リモコンの正面図である。
【００１２】
本リモコン２００は、リモコン本体２０１と、ディスプレイユニット２０２とから構成される。ディスプレイユニット２０２には、ＬＣＤ２１１（Liquid Crystal Display）から構成される表示装置が組み込まれており、そのＬＣＤ２１１の表示画面はディスプレイユニット２０２のほぼ中央に位置されている。ＬＣＤ２１１の表面には、タッチセンサ２１３が配置され、ユーザの操作によりデータ入力可能な構成になっている。
【００１３】
ディスプレイユニット２０２は、リモコン本体２０１のヒンジ部２０３によって支持され、そのリモコン本体２０１に対してリモコン本体２０１の上面が露出される開放位置とリモコン本体２０１の上面を覆う閉塞位置との間を回動自由に取り付けられている。リモコン本体２０１は薄い箱形の筐体を有しており、その上面には第１の操作キー群２１３が配置されている。また、リモコン本体２０１の内部には赤外線信号を送信するための発光部が設けられている。リモコン本体の側面には発光部が発光した赤外線が透過する透過窓２０４が設けられている。透過窓２０４は、ヒンジ部２０３と対向する側に設けられることが好ましい。ヒンジ部２０３と対向する側に透過窓２０４を設けることによって、ディスプレイユニット２０２を閉塞位置から開放位置に移行した場合に、透過窓２０４がテレビジョン１００の方に向かなくなるので誤動作を防止することができる。
【００１４】
図４に示すように、ディスプレイユニット２０２の背面側に第２の操作キー群２２１が配置されている。第２の操作キー群２２１は、リモコン本体２０１の裏面側に設けられていても良い。
【００１５】
タッチセンサ２１３および第１の操作キー群２１３は、テレビジョン１００のＳＴＢ機能を操作するためのキーである。第２の操作キー群２２１は、テレビジョン１００のＴＶ波チューナを操作するためのキーである。
【００１６】
２つ折り型リモコンの外側操作面と内側操作面で機能を分離することにより、各操作面で必須キーのみを配置し不要なキーを排除することができる。そのため、ＴＶを見る際に、第２の操作キー群２２１を用いることによって誤操作を抑制することができる。
【００１７】
図５は、本発明の一実施形態に係わるＳＴＢ機能内蔵テレビジョンおよびリモコンのシステムの構成を示す図である。
【００１８】
先ず、テレビジョン１００の構成について説明する。ＴＶチューナ１２４は電波を用いて供給されるＴＶ番組を受信するデバイスであり、チューナ選局制御部１２３からのコマンドによって指定されたチャネル番号の放送データを受信する。この内部テレビチューナ１２４はＴＶアンテナ４００に接続されている。リモコン２００からの赤外線信号を受信するための赤外線受光増幅部１２１、赤外線信号処理部１２２を有する。リモコン２００からの赤外線信号に応じて、チューナ選局制御部１２３はチューナ１２４にコマンドを送信する。
【００１９】
光ファイバやＡＤＳＬ等のネットワークを介して供給される放送データを受信するＳＴＢ機能が内蔵されている。ＳＴＢ機能は、配信サーバ３００との通信により配信されるコンテンツを要求するサーバ通信部１１４を有する。また、ネットワーク配信サーバ３００から送信されたデータから、映像音声データと、Ｗｅｂ系データとを分離する映像音声／Ｗｅｂ系データ分離部１１６を有する。Ｗｅｂ系データは、Ｗｅｂ系データ編集部１１５によってリモコンのＬＣＤ２１１に表示可能な形態に加工される。また、リモコン２００との間で通信を行うためのＢｌｕｅｔｏｏｔｈ（登録商標）送信部１１１、Ｂｌｕｅｔｏｏｔｈ受信増幅部１１２、およびＢｌｕｅｔｏｏｔｈ制御部１１３を有する。
【００２０】
チューナで受信されたＴＶ信号は、映像音声分離部１３１によって映像信号と音声信号とに分離される。分離された映像信号は、映像信号処理部１３２によって、復調処理が行われる。復調された映像データは、映像ドライバ１３３を介してディスプレイ１３４に表示される。
【００２１】
映像音声分離部１３１によって分離された音声信号は、音声復調部１３５によって復調され、音声データが得られる。音声データは、音声信号制御部１３６によって、アナログデータに変換される。アナログデータに変換された音声信号は、音声信号増幅出力部１３７によって増幅され、スピーカ１３８から出力される。
【００２２】
ＭＰＵ１４０は、チューナ選局制御部１２３、映像信号処理部１３２、映像ドライバ１３３、音声信号制御部１３６、および音声信号増幅出力部１３７の制御を行う。
【００２３】
次ぎに、リモコン２００のシステム構成について説明する。機能切替検出部２３０は、ディスプレイユニット２０２が閉塞位置と開放位置とのどちらの状態であるかを検出することによって、地上波チューナ機能をコントロールするかＳＴＢの機能をコントロールするかを切り替える。
【００２４】
リモコン２００は、機能切替検出部２３０の探知結果に応じて、Ｂｌｕｅｔｏｏｔｈでテレビジョン１００と通信を行うか、赤外線通信を行うかを判定する。機能切替検出部２３０がディスプレイユニット２０２が閉位置にあることを検出している場合、第２の操作キー群２２１の操作に応じて赤外線信号制御部２２２、及び赤外線信号発光部２２３から赤外線を発光する。また、機能切替検出部２３０がディスプレイユニット２０２が開放位置であることを検出している場合、ＬＣＤ２１１に表示するデータがＢｌｕｅｔｏｏｔｈ受信増幅処理部２１６によって受信される。受信した表示データは表示処理部２１７に供給され、ＬＣＤ２１１に表示される。
【００２５】
ネットワーク配信サーバからの制御系データは、Ｗｅｂ表示系言語であるＨＴＴＰ形式を使用し、ＴＣＰで通信が行われている。秘匿性の観点から制御系データは暗号化されていることが多い。これらのネットワーク配信サーバからの制御系データは、ＳＴＢボックス機能を実装したＴＶで受信し、暗号デコードした後、再暗号化してＢｌｕｅＴｏｏｔｈまたはＢｌｕｅｔｏｏｔｈ、無線ＬＡＮ等のワイヤレス方式でリモコン側に転送する。
【００２６】
リモコン側にはＷｅｂブラウザと暗号解除機能を実装し、制御系データの暗号を解除する。解除した情報をＬＣＤ２１１に表示する。リモコン側のソフトウェア機能としては、Ｗｅｂブラウザと制御系データの暗号エンコード・デコード機能を搭載する。暗号化機能を実装することにより、ＴＶ−リモコン間での秘匿性を保持することができる。
【００２７】
リモコン−TV間にはBluetooth認証機能を使用することで同型のリモコンでも勝手にネットワーク配信機能を使用することを防止する。以下にTV購入時の初期設定方法を示す。
【００２８】
ＴＶのメイン電源を入れ、初めて通信を行なおうとする端末は、「問い合わせ」を実施する。「問い合わせ」ではマスタとスレーブの役割が異なるので、ここではテレビジョン100をマスタ、リモコンをスレーブとして説明する。また、認証設定イメージを図６、図７に示す。
【００２９】
購入後、リモコン２００に電池など装着し起動状態にし、閉塞状態（通常ＴＶリモコン状態）リモコンを開放位置にする。設定メニュー画面から「初期設定」を選択して、ユーザ名など画面メッセージにしたがって設定し、閉塞状態（通常ＴＶリモコン状態）に戻す。
【００３０】
次にＴＶ本体のメイン電源を入れる。テレビジョンに初期設定メニュー画面が表示される。閉塞状態（通常TVリモコン状態）テレビジョンリモコンを使用してメニュー画面の指示に従い、「リモコン設定」を選択する。リモコン設定画面では、マスタ：TV  スレーブ：リモコンに設定する。
【００３１】
図６に示すように
接続名称：Bluetooth RM
接続先：リモコン
方式：Bluetooth
デバイス名：
に設定する。「検索開始」を選択すると、テレビジョン１００のBluettooth 制御部のBluetoothマスタ検索機能が起動する。周囲にスレーブが存在しているに関らず、連続してIAC(Iniquriy Access Code）を含むIQパケットをブロードキャスト送信してBluetooth搭載機器の検索が始まる。その周囲に「問い合わせ状態」にあるリモコン２００のBluetooth 制御部214がBluetooth受信増幅処理部216を介してIACを含むIQパケットを受信する。リモコン２００のBluetooth制御部は、IQパケットを受信するたびにマスタであるテレビジョン１００に対してBluetooth送信部２１５からスレーブであるリモコン２００の属性を伝えるためにFHSパケットを返信する。
【００３２】
テレビジョン１００のBluetooth受信増幅部１１２を介して、FHSパケットい含まれれるDAC（Device Access Code）から応答したBluetoothデバイスの属性を認識し、受信したデバイスをリストアップして検索を完了する。
【００３３】
Bluetooth機器の検索が終了すると接続可能なデバイス名一覧が表示されるので、そのデバイス群から本特許で提案するリモコンのデバイス名：TSB TV RM1(リモコン２００で設定した名称と一致するもの）を選択する。選択すると図7に示されるパスキー画面が表示されるので、ユニークな文字または数字を閉塞状態（通常TVリモコン状態）リモコンを使用して入力する。
【００３４】
入力が終了したら、閉塞状態（通常TVリモコン状態）リモコンを開放位置にする。開放位置にするとリモコンのディスプレイ画面にパス機能認証画面が表示されているので、TVに入力した文字と同じパスワードを入力する。入力終了、初期設定終了メッセージを確認する。確認後閉塞状態（通常ＴＶリモコン状態）としてテレビジョンのその他の初期設定などを行なう。
【００３５】
上記の操作によりテレビジョン１００にリモコン２００がBluetoothデバイスとして登録される。この操作は、初期設定時に一回行なう。
【００３６】
通常の動作シーケンス概要フローチャートを図８と図９及び図１０に示す。初期設定で設定したようにテレビジョン１００がマスタ、リモコン２００がスレーブの場合にについて説明する。
【００３７】
ユーザは閉塞状態（通常ＴＶリモコン状態）リモコン２００の第２の操作キー群２２１中の電源キーを操作する（ステップＳ１１）テレビジョン１００がスタンバイ状態から動作状態に復帰する（ステップＳ１２）。
【００３８】
テレビジョン１００が動作状態になると、テレビジョン１００のBluetooth制御部のBluetoothマスタ機能が起動し（ステップＳ１３）、Bluetooth送信部１１１から特定のスレーブ宛にIDパケットを送信し（ステップＳ１４）、リモコン２００の検索を行なう。
【００３９】
リモコン２００のBluetooth制御部２１４がBluetooth受信増幅部２１６を介してIDパケットを受信すると、Bluetooth制御部２１４は、受信確認としてマスタ−スレーブ間でに呼出応答通信を行なう（ステップＳ１５）。
【００４０】
テレビジョン１００側のBluetooth制御部１１３はBluetooth受信増幅部１１２を介して、受信した応答スレーブデータより登録Bluetooth機器であるリモコン２００を認証する（ステップＳ１６）。認証が完了したら暗号化方式についてリモコン−テレビジョン間で通信を行う（ステップＳ１７）
リモコン−テレビジョン間の暗号化処理方法をBuetooth制御部から暗号アプリケーションに伝達される（ステップＳ１８）。
【００４１】
登録特定デバイスであるリモコン２００が発見され、認証・暗号化などの手続きが完了すると使用可能デバイスとして登録を行なう（ステップＳ１９）。以後通信可能Bluetoothデバイスであるリモコン２００との通信コネクション確立するためのその他の作業を実施し、リモコン２００からのネットワーク配信起動コマンドを待つ（ステップＳ２０）。特定デバイス検索でリモコン２００が見つからなかった場合には、「待ち受け状態」で待機する。  ユーザがリモコン２００を開き、ディスプレイユニット２０２を開放位置にすると、機能切替検出部２３０は、Ｂｌｕｅｔｏｏｔｈ制御部２１４に通知する（ステップＳ２１）。Ｂｌｕｅｔｏｏｔｈ制御部２１４は、Ｂｌｕｅｔｏｏｔｈマスターであるテレビジョン１００側のＢｌｕｅｔｏｏｔｈ制御部１２２に対して、ネットワーク系配信コンテンツの視聴を希望するコマンドを送信する（ステップＳ２２）。
【００４２】
ネットワーク系配信コンテンツの視聴を希望するコマンドを受信したテレビジョン１００側のＢｌｕｅｔｏｏｔｈ制御部１２２は、内臓ＳＴＢ機能を起動する。サーバ通信部１１４は、契約しているネットワーク配信サーバ３００に対して広域ネットワーク網を介して接続要求を行い、ネットワーク配信サーバ３００との通信を開始する（ステップＳ２３）。
【００４３】
映像音声／Ｗｅｂ系データ分離部１１６は、ネットワーク配信サーバ３００との通信でユーザ選択入力を要求するデータを受信した場合、受信データを解析し、制御系通信データ（ＴＣＰ系データ）からＷＥＢ系データを抜き出す(ステップＳ２４)。Ｗｅｂ系データ編集部１１５は、ＷＥＢ系データをリモコン２００のＬＣＤ２１１の表示形態に適応する形式に編集する（ステップＳ２５）。編集されたデータをＢｌｕｅｔｏｏｔｈを用いてリモコン２００に送信する（ステップＳ２６）。
【００４４】
リモコン２００は、Ｂｌｕｅｔｏｏｔｈを用いてデータを受信する(ステップＳ２７)。受信したデータは表示処理部２１７により解析され、リモコンのＬＣＤ２１１にコンテンツ選択画面が表示される（ステップＳ２８）。コンテンツ選択画面と視聴画面が分離されているため、ユーザは番組視聴を中断する必要がない。
【００４５】
ユーザはＬＣＤ２１１に表示された内容に対して応答を第１の操作キー群２１３またはタッチセンサ２１３の操作を行って応答する。ユーザが入力したデータは、Ｂｌｕｅｔｏｏｔｈを用いてテレビジョン１００に送信する（ステップＳ２９）。
【００４６】
テレビジョン１００はデータを受信する(ステップＳ３０)。サーバ通信部１１４は、受信したデータを解析する(ステップＳ３１)。サーバ通信部１１４は、解析したデータをネットワーク配信サーバ３００に送信する（ステップＳ３２）。
【００４７】
ステップＳ２４からステップＳ３２の作業を繰り返し視聴するコンテンツを決定する（ステップＳ３３）。またペアレンタルロック（年齢制限番組）などの制御通信についても同様である。
【００４８】
コンテンツ配信サーバから送られてくる映像／音声データをデコードしてディスプレイ１３４に表示すると共に、スピーカ１３８から音声を出力する（ステップＳ３４）。
【００４９】
番組視聴中にＷｅｂ画面を伴うチャンネル変更やチャンネル入力キー、チャンネルアップダウンキー入力があった場合もステップＳ２４からステップＳ３２の処理手順により処理する。
【００５０】
ネットワーク配信コンテンツの視聴を中止する場合には、リモコン２００を折りたたみ、ディスプレイユニット２０２を閉塞位置にする。機能切替検出部２３０は、テレビジョン１００に対して視聴中止コマンドを送信する（ステップＳ４１）。
【００５１】
ネットワーク配信中止要求を受信したサーバ通信部１１４は、ネットワーク配信サーバ３００に対して配信中止コマンドを送信する（ステップＳ４２）。
【００５２】
ネットワーク配信中止されると、サーバ通信部１１４は、ネットワーク配信停止確認の情報をリモコン２００に送信し、テレビジョン１００のＳＴＢ機能はリモコン２００からのコマンド待機状態となる（ステップＳ４３）。
【００５３】
リモコン２００は、ネットワーク配信停止確認の送信情報を得て、リモコン側のネットワーク系配信番組リモコン機能を停止する（ステップＳ４４）。停止確認情報が受信できない場合には、リモコンより警告音を発する。
【００５４】
デジタルハイビジョン画面は、１６：９の画面サイズ（横長）である。コンテンツ制御サーバから送信されてくるＷｅｂ画面もＴＶ画面に合わせて１６：９の画面サイズで送信される場合を考慮する必要がある。リモコン画面を横にすることにより１６：９画面サイズに対応する。縦横の状態を検知するためリモコン側には重力センサまたは加速度計を実装しておくことが必要となる。
【００５５】
重力センサによりリモコンの姿勢を検知し、図１１に示すように、リモコンのＬＣＤに表示される画面をリモコン側で調整することが好ましい。同様にキー機能もリモコンの姿勢に対応して縦横操作で変化する。
【００５６】
ユーザによってはネットワーク配信系サービスに加入しない場合がある。この様な場合特定のキー操作により、衛星放送系の番組制御を二つ折りの内側操作面に配置できるようにする。
【００５７】
従来から使用されているチャンネル制御用の赤外線チャンネル切り替え部分を廃止し、すべて無線通信方式に切り換える方法もある。この場合、初期設定に赤外線通信が使用できないので、ＴＶ本体に付属するキーを使用して初期設定を行う。
【００５８】
以下に上述した装置の効果について説明する。
【００５９】
［１］操作面でのキー数削減による操作性能向上
現在のＴＶリモコンは地上波放送とＢＳ・ＣＳなどの放送チャンネルキーが共用のタイプと、分離されているが同一操作面上に配置されているものが多い。最も利用頻度が高い地上波ＴＶ番組選択に不要なキーが、操作面上に多数存在する。本発明では、ＴＶリモコンを携帯電話と同様に２つ折りし、選択したチャンネル操作機能（地上波ＴＶまたはネットワーク配信系ＴＶ）に必要となるキーのみを配置する。従って操作面上の不要なキーを削減することができ、ユーザの操作性が向上する。
【００６０】
［２］リモコンを２つ折りにすることによる内側面へのネットワーク系チャンネル制御機能の配置
リモコンを２つ折り構造とし、内部にはネットワーク配信系のように任意に契約を行わなければ視聴することができない番組のリモコン機能を内蔵する。ネットワーク配信系リモコン面を開くまでは、ＴＶリモコンとして動作し、ネットワーク配信系リモコン面をひらくことによりネットワーク系リモコンが動作する。２つの面に分離することで互いの機能を排他制御が容易となり、誤操作を防止することができる。
【００６１】
［３］ＴＶチャンネルとネットワーク系チャンネルが分離されていることによる操作性の向上
現在のＴＶリモコンは地上波放送とＢＳ・ＣＳなどの放送チャンネルキーが共用のタイプと、分離されているが同一操作面上に配置されているものが多い。本発明では、ＴＶリモコンを携帯電話の様に２つ折りにする。表面は、通常使用する地上波放送用ＴＶリモコン操作面を配置し、内面は、チャンネル操作に画面表示が必要となるネットワーク配信系リモコン操作面とする。リモコン操作面を分離することによりユーザは地上波ＴＶを操作しているのか、ネットワーク配信系放送を操作しているのかが明確となり操作性が向上する。
【００６２】
［４］ディスプレイの搭載
リモコンを二つ折りにすることにより新たに内部操作面を創出し、従来面積的な問題で実装が困難であった表示用ディスプレイを内部操作面への搭載可能とした。
【００６３】
表示ディスプレイ面を搭載することでＳＴＢ番組選択表示に係る制御画面をＴＶ画面表示からリモコン側表示画面に表示することを可能とした。またディスプレイ搭載が可能となったことでタッチパネル型ディスプレイ実装等も可能となった。
【００６４】
これにより従来のＳＴＢ内臓型ＴＶリモコンなど多機能ＴＶリモコンに比べ、ＴＶ受信機能のみリモコンなみの小型化を実現し、かつディスプレイ実装によりＳＴＢ機能使用時の操作性が、従来のＳＴＢリモコンに比べ格段に向上することが見込まれる。
【００６５】
［５］ネットワーク配信系チャンネル選択時に番組視聴を妨げない番組選択表示
任意に契約を行わなければ視聴することができないネットワーク配信系配信放送は、ネットワーク配信コンテンツが多種多彩にわたるためチャンネル数が多く、チャンネル切り替えは独自チャンネル切り換えＷｅｂ画面から番組を選択することが多い。Ｗｅｂ画面を使用しないと表示不可能なほど多種多品種のコンテンツが選択可能となっている。現在のＳＴＢを使用したネットワーク配信では、ＳＴＢに十分なディスプレイ機能を持たないため、チャンネル切り換え時にはＴＶの視聴番組を一度中断し、チャンネル制御表示をＴＶディスプレイを使用して表示する必要がある。
【００６６】
ＳＴＢ機能実装型ＴＶにおいて、ネットワーク系配信の番組制御プロトコルと映像データプロトコルの違いを利用し、ＴＶでチャンネル選択Ｗｅｂ画面と視聴番組映像データを分離する。２つ折り型リモコン内部面にディスプレイを実装する。リモコン内側操作面にネットワーク系配信のチャンネル制御表示を移動することで、選択されているＴＶ視聴番組を中断することなく番組選択を行うことができるようになる。
【００６７】
［６］Ｗｅｂ画面でのチャンネル切り替え操作性の向上
ネットワーク配信系番組は、コンテンツ数が非常に多種多彩である。チャンネル数が多いため、キー操作が複雑になっている。特にＷｅｂ画面で入力は、アップダウンキーと左右移動キーで選択していくため操作が複雑になっている。通常のチャンネル切り替えは、アップダウンキーと左右移動キーとエンターキーを使用している場合が多い。この操作を容易にするために２つ折りリモコンの内部操作面のネットワーク配信系リモコン操作面のディスプレイをタッチパネル方式とする。タッチパネル方式によりキー入力回数を削減することができる。また不要なキー入力通信を削減することができる。
【００６８】
［７］ＴＶリモコンの赤外線発効装置の位置
ＴＶリモコンの赤外線透過窓をヒンジ部２０３の反対側に配置することで、ネットワーク配信系リモコン面を開く際に誤って、ＴＶリモコン動作時にキー入力しても赤外線発光面がＴＶ側に向きにくいので、ＴＶにチャンネル切り換え信号が到達することを防止することができる。
【００６９】
［８］重力センサを使用したリモコンの姿勢検知と表示画面
コンテンツ制御サーバから送信されてくるＷｅｂ画面もデジタル番組画面に合わせて１６：９の画面サイズで送信される場合を考慮して、リモコン画面を横にすることにより１６：９画面サイズに対応する。リモコンに実装した重力センサによりリモコンの姿勢を検知し、リモコンディスプレイに表示される画面の縦横をリモコン側で調整する。同様にキー機能もリモコンの姿勢に対応して縦横で変化する。この機能によりユーザに対するＷｅｂ画面に視認性が向上する。
【００７０】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７１】
【図１】受像装置（電子機器）としてのＳＴＢ機能内蔵テレビジョンの外観を示す図。
【図２】リモコンの外観を示す正面図。
【図３】リモコンの外観を示す側面図。
【図４】リモコンの外観を示す正面図。
【図５】ＳＴＢ機能内蔵テレビジョンおよびリモコンからなる受像システムのシステムの構成を示すブロック図。
【図６】Ｂｌｕｅｔｏｏｔｈによる認証設定イメージを示す図。
【図７】Ｂｌｕｅｔｏｏｔｈによる認証設定イメージを示す図。
【図８】ＳＴＢ機能内蔵テレビジョンおよびリモコンの動作シーケンスを示すフローチャート。
【図９】ＳＴＢ機能内蔵テレビジョンおよびリモコンの動作シーケンスを示すフローチャート。
【図１０】ＳＴＢ機能内蔵テレビジョンおよびリモコンの動作シーケンスを示すフローチャート。
【図１１】リモコンを縦にした場合と横にした場合に、ＬＣＤに表示されるコンテンツ選択画面を示す図。
【符号の説明】
【００７２】
１００…ＳＴＢ機能内蔵テレビジョン，１１１…Ｂｌｕｅｔｏｏｔｈ送信部，１１２…Ｂｌｕｅｔｏｏｔｈ受信増幅部，１１３…Ｂｌｕｅｔｏｏｔｈ制御部，１１４…サーバ通信部，１１５…Ｗｅｂ系データ編集部，１１６…Ｗｅｂ系データ分離部，１２１…赤外線受光増幅部，１２２…赤外線信号処理部，１２３…チューナ選局制御部，１２４…テレビチューナ，１３１…映像音声分離部，１３２…映像信号処理部，１３３…映像ドライバ，１３４…ディスプレイ，１３５…音声復調部，１３６…音声信号制御部，１３７…音声信号増幅出力部，１３８…スピーカ，１４０…ＭＵＰ，２００…リモコン，２０１…リモコン本体，２０２…ディスプレイユニット，２０３…ヒンジ部，２０４…透過窓，２１１…ＬＣＤ，２１２…タッチセンサ，２１３…第１の操作キー群，２１４…Ｂｌｕｅｔｏｏｔｈ制御部，２１５…Ｂｌｕｅｔｏｏｔｈ送信部，２１６…Ｂｌｕｅｔｏｏｔｈ受信増幅処理部，２１７…表示処理部，２２１…第２の操作キー群，２２２…赤外線信号制御部，２２３…赤外線信号発光部，２３０…機能切替検出部，３００…ネットワーク配信サーバ，４００…ＴＶアンテナ，５００…ネットワーク
【図１】
2007194840.tif 000003
【図２】
2007194840.tif 000004
【図３】
2007194840.tif 000005
【図４】
2007194840.tif 000006
【図５】
2007194840.tif 000007
【図６】
2007194840.tif 000008
【図７】
2007194840.tif 000009
【図８】
2007194840.tif 000010
【図９】
2007194840.tif 000011
【図１０】
2007194840.tif 000012
【図１１】
2007194840.tif 000013